【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のワイヤレス通信デバイスによって、第2のワイヤレス通信デバイスから1つまたは複数の既知のビットを受信するステップと、
前記第1のワイヤレス通信デバイスによって、前記1つまたは複数の既知のビットを含む第1の符号化情報ブロックを受信するステップと、
前記第1のワイヤレス通信デバイスによって、前記第1の符号化情報ブロックを復号して、前記1つまたは複数の既知のビットに基づいて第1の情報ブロックを生成するステップと
を備える方法。
【請求項２】
前記1つまたは複数の既知のビットを受信するステップが、
前記第1のワイヤレス通信デバイスによって、第2の符号化情報ブロックを受信するステップと、
前記第1のワイヤレス通信デバイスによって、前記第2の符号化情報ブロックを復号して、第2の情報ブロックを生成するステップと、
前記第1のワイヤレス通信デバイスによって、前記第2の情報ブロックから前記1つまたは複数の既知のビットを抽出するステップと
を含む、請求項1に記載の方法。
【請求項３】
前記1つまたは複数の既知のビットを受信するステップが、
前記第1のワイヤレス通信デバイスによって、第1のセルの第1の基地局から、前記1つまたは複数の既知のビットを受信するステップを含み、前記1つまたは複数の既知のビットが、第2のセルに関連付けられる、請求項1に記載の方法。
【請求項４】
前記1つまたは複数の既知のビットを受信するステップが、
前記第1のワイヤレス通信デバイスによって、ハンドオーバメッセージを受信するステップを含み、前記ハンドオーバメッセージが、前記第1のセルと前記第2のセルとの間のハンドオーバに対応する、請求項3に記載の方法。
【請求項５】
前記1つまたは複数の既知のビットを受信するステップが、
システムフレーム番号(SFN)またはハイパーSFNのうちの少なくとも1つに関する1つまたは複数のビットを受信するステップ
を含む、請求項1に記載の方法。
【請求項６】
ワイヤレス通信の方法であって、
第1のワイヤレス通信デバイスによって、第1のビットパターンを含む第1の符号化情報ブロックを受信するステップと、
前記第1のワイヤレス通信デバイスによって、第2のビットパターンを含む第2の符号化情報ブロックを受信するステップと、
前記第1のワイヤレス通信デバイスによって、前記第1のビットパターンと前記第2のビットパターンとの間の差分が複数のビット変化パターンのサブセット内であるという仮定に基づいて、前記第1の符号化情報ブロックおよび前記第2の符号化情報ブロックをジョイント復号するステップと
を備える方法。
【請求項７】
前記第1のワイヤレス通信デバイスによって、前記第1のワイヤレス通信デバイスの能力に基づいて、前記複数のビット変化パターンから前記複数のビット変化パターンの前記サブセットを選択するステップ、または
前記第1のワイヤレス通信デバイスによって、前記複数のビット変化パターンの各々に関連付けられた発生確率に基づいて、前記複数のビット変化パターンから前記複数のビット変化パターンの前記サブセットを選択するステップ
をさらに備える、請求項6に記載の方法。
【請求項８】
前記第1のワイヤレス通信デバイスによって、第3の符号化情報ブロックを受信するステップと、
前記第1のワイヤレス通信デバイスによって、偶数のSFNを含む前記第2の符号化情報ブロックおよび奇数のSFNを含む前記第3の符号化情報ブロックに基づいて、前記第2の符号化情報ブロックおよび前記第3の符号化情報ブロックをジョイント復号するステップと
をさらに備える、請求項6に記載の方法。
【請求項９】
前記第1の符号化情報ブロックを受信するステップが、前記第1の符号化情報ブロックを搬送する第1の信号を受信するステップを含み、前記第2の符号化情報ブロックを受信するステップが、前記第2の符号化情報ブロックを搬送する第2の信号を受信するステップを含み、前記方法が、
前記第1のワイヤレス通信デバイスによって、前記第1の信号から、前記第1の符号化情報ブロックについての第1の推定値を決定するステップと、
前記第1のワイヤレス通信デバイスによって、前記第2の信号から、前記第2の符号化情報ブロックについての第2の推定値を決定するステップと
をさらに備える、請求項6に記載の方法。
【請求項１０】
ワイヤレス通信の方法であって、
第2のワイヤレス通信デバイスによって、1つまたは複数の既知のビットに基づいて第1の情報ブロックを生成するステップと、
前記第2のワイヤレス通信デバイスによって、前記第1の情報ブロックを符号化して、第1の符号化情報ブロックを形成するステップと、
前記第2のワイヤレス通信デバイスによって、前記第1の符号化情報ブロックを第1のワイヤレス通信デバイスに送信するステップと、
前記第2のワイヤレス通信デバイスによって、前記第1のワイヤレス通信デバイスにおける前記第1の符号化情報ブロックの復号を可能にするために、前記1つまたは複数の既知のビットを前記第1のワイヤレス通信デバイスに送信するステップと
を備える方法。
【請求項１１】
前記1つまたは複数の既知のビットを送信するステップが、
前記第2のワイヤレス通信デバイスによって、第2の符号化情報ブロックを前記第1のワイヤレス通信デバイスに送信するステップ
を含む、請求項10に記載の方法。
【請求項１２】
前記第2のワイヤレス通信デバイスによって、前記1つまたは複数の既知のビットを含むハンドオーバメッセージを前記第1のワイヤレス通信デバイスに送信するステップをさらに備え、
前記第2のワイヤレス通信デバイスが、第1のセルに関連付けられ、
前記ハンドオーバメッセージが、前記第1のセルから第2のセルへのハンドオーバに関連付けられ、
前記1つまたは複数の既知のビットが、前記第2のセルの情報ブロックに関連付けられる、
請求項10に記載の方法。
【請求項１３】
第1のワイヤレス通信デバイスであって、
第2のワイヤレス通信デバイスから1つまたは複数の既知のビットを受信するための手段と、
前記1つまたは複数の既知のビットを含む第1の符号化情報ブロックを受信するための手段と、
前記第1の符号化情報ブロックを復号して、前記1つまたは複数の既知のビットに基づいて第1の情報ブロックを生成するための手段と
を備える装置。
【請求項１４】
第1のワイヤレス通信デバイスであって、
第1のビットパターンを含む第1の符号化情報ブロックを受信するための手段と、
第2のビットパターンを含む第2の符号化情報ブロックを受信するための手段と、
前記第1のビットパターンと前記第2のビットパターンとの間の差分が複数のビット変化パターンのサブセット内であるという仮定に基づいて、前記第1の符号化情報ブロックおよび前記第2の符号化情報ブロックをジョイント復号するための手段と
を備える装置。
【請求項１５】
第2のワイヤレス通信デバイスであって、
1つまたは複数の既知のビットに基づいて第1の情報ブロックを生成するための手段と、
前記第1の情報ブロックを符号化して、第1の符号化情報ブロックを形成するための手段と、
前記第1の符号化情報ブロックを第1のワイヤレス通信デバイスに送信するための手段と、
前記第1のワイヤレス通信デバイスにおける前記第1の符号化情報ブロックの復号を可能にするために、前記1つまたは複数の既知のビットを前記第1のワイヤレス通信デバイスに送信するための手段と
を備える装置。